(57)【要約】      （修正有）【課題】  遊技球発射装置から発射された遊技球を遊技領域の上部で受けて、遊技者が所望の位置で遊技領域に対して遊技球の落下を開始させることができる弾球遊技機を提供する。【解決手段】  遊技領域の上部に沿って水平に並んだ２本のレール部材、このレール部材に沿って移動可能で、一端に対向する部分においてレール部材を一端の幅方向間隔と略同一大きさになるように保持し、他端に対向する部分においてレール部材を他端の幅方向間隔と略同一大きさになるように保持する遊技球受け部材、および、この遊技球受け部材をレール部部材に沿って左右方向に移動させる移動機構部（螺旋棒およびモータ）からなり、発射通路の上端部から打ち出された遊技球がレール部材に沿って転がり移動する落下位置調整装置と、遊技者が操作可能な位置に配設され、操作量に応じて移動機構部を作動させて遊技球受け部材を左右方向に移動させる操作ハンドルとを有するように構成する。【選択図】  図１
2006055277.tif 000002
【特許請求の範囲】
【請求項１】
前面に所要の遊技領域が形成された遊技盤、遊技球を発射する発射機構部、および、発射された前記遊技球を前記遊技領域の上部に導く発射通路を備える弾球遊技機において、
可撓性を有し、一端の幅方向間隔が前記遊技球の直径よりも小さくなるように固定保持されて前記発射通路の上端部に繋がるとともに、他端の幅方向間隔が前記遊技球の直径よりも大きくなるように固定保持されて前記遊技領域の上部に沿って水平に並んだ２本のレール部材、前記レール部材に沿って移動可能で、前記一端に対向する部分において前記レール部材を前記一端の幅方向間隔と略同一大きさになるように保持し、前記他端に対向する部分において前記レール部材を前記他端の幅方向間隔と略同一大きさになるように保持する遊技球受け部材、および、前記遊技球受け部材を前記レール部材に沿って左右方向に移動させる移動機構部からなり、前記発射通路の前記上端部から打ち出された前記遊技球が前記レール部材に沿って前記一端側から前記他端側に転がり移動される落下位置調整手段と、
遊技者が操作可能な位置に配設され、操作量に応じて前記移動機構部を作動させて前記遊技球受け部材を左右方向に移動させる操作ハンドルとを有して構成されたことを特徴とする弾球遊技機。
【請求項２】
前記操作ハンドルの前記操作量が所定の大きさを超えると、前記発射機構部が前記遊技球を発射するように構成されたことを特徴とする請求項１に記載の弾球遊技機。
【請求項３】
前記操作ハンドルが、遊技者が操作していることを検出するタッチ部を有し、
前記タッチ部により前記操作ハンドルが前記遊技者により操作されていると検出されているときに、前記発射機構部が前記遊技球を発射するように構成されたことを特徴とする請求項１に記載の弾球遊技機。
【発明の詳細な説明】
【技術分野】
【０００１】
本発明は、立設保持された遊技盤の前面遊技領域内に遊技球発射装置から遊技球を打ち出し、この遊技球を遊技領域内で落下移動させて遊技を行うように構成される弾球遊技機に関し、特に詳細には、下方から発射された遊技球を上部で受けて、遊技者が所望の位置から遊技領域内に落下させることが可能な弾球遊技機に関する。
【背景技術】
【０００２】
このような遊技機として、パチンコ機、アレンジボール機、雀球遊技機等が一般的に知られているが、この種の遊技機の代表としてパチンコ機を例に挙げて説明する。パチンコ機は、前面側にガラス扉が開閉自在に装着される前枠、この前枠が開閉着脱可能に取り付けられる方形枠状の外枠、前枠（若しくは前枠と一体に構成された収容枠）に着脱自在に取り付けられるとともに閉止状態のガラス扉に近接して対向する遊技盤、前枠の後面側に取り付けられる裏機構盤等から構成される。このようなパチンコ機において、遊技盤は前枠（若しくは収容枠）に立設状態で保持され、遊技盤の下方に位置して前枠内に配設された遊技球発射装置から発射された遊技球を遊技盤前面の遊技領域の周縁に設けられた案内レール（発射通路）に沿って上方に移動させて上部から遊技領域内に導き、ガラス扉との間における遊技領域内で落下移動する遊技球を遊技領域内の入賞具（遊技構成部品）に入賞させる遊技を行うように構成されている。
【０００３】
【特許文献１】特開２００４−１９４８８１号公報
【発明の開示】
【発明が解決しようとする課題】
【０００４】
ところで、このような種類の遊技球発射装置では、打球杵（ハンマ）の駆動力の調整により発射位置が決定される形態のために、案内レール近傍に打球を発射すること（いわゆる弱打ち）が難しいという問題がある。さらに、打球杵の駆動力により位置調整する結果、案内レールや遊技球発射装置に遊技球を供給する球送り機構等の組み付け整合条件によって打球強度に大きなばらつきが生じ、遊技者が同一の強度調整をしているにもかかわらず、遊技球の落下位置（最初に遊技領域の障害物に衝突する位置）が大きく変化するという問題がある。
【０００５】
本発明は、このような課題に鑑みてなされたものであり、遊技球発射装置から発射された遊技球を遊技領域の上部で受けて、遊技者が所望の位置で遊技領域に対して遊技球の落下を開始させることができる弾球遊技機を提供することを目的とする。
【課題を解決するための手段】
【０００６】
前記課題を解決するために、本発明に係る弾球遊技機（例えば、実施形態におけるパチンコ機ＰＭ）は、前面に所要の遊技領域が形成された遊技盤、遊技球を発射する発射機構部（例えば、実施形態における遊技球発射装置２１）、および、発射された遊技球を遊技領域の上部に導く発射通路を備えるものであり、可撓性を有し、一端の幅方向間隔が遊技球の直径よりも小さくなるように固定保持されて発射通路の上端部に繋がるとともに、他端の幅方向間隔が遊技球の直径よりも大きくなるように固定保持されて遊技領域の上部に沿って水平に並んだ２本のレール部材、このレール部材に沿って移動可能で、一端に対向する部分においてレール部材を一端の幅方向間隔と略同一大きさになるように保持し、他端に対向する部分においてレール部材を他端の幅方向間隔と略同一大きさになるように保持する遊技球受け部材、および、この遊技球受け部材をレール部材に沿って左右方向に移動させる移動機構部（例えば、実施形態における螺旋棒４５およびモータ４６）からなり、発射通路の上端部から打ち出された遊技球がレール部材に沿って一端側から他端側に転がり移動される落下位置調整手段（例えば、実施形態における落下位置調整装置４０）と、遊技者が操作可能な位置に配設され、操作量に応じて移動機構部を作動させて遊技球受け部材を左右方向に移動させる操作ハンドルとを有して構成される。
【０００７】
なお、本発明に係る弾球遊技機において、操作ハンドルの操作量が所定の大きさを超えると、発射機構部が遊技球を発射するように構成されることが好ましい。
【０００８】
あるいは、操作ハンドルが、遊技者が操作していることを検出するタッチ部（例えば、実施形態におけるグリップ部８ａ）を有し、このタッチ部により操作ハンドルが遊技者により操作されていると検出されているときに、発射機構部が遊技球を発射するように構成されることが好ましい。
【発明の効果】
【０００９】
本発明に係る弾球遊技機を以上のように構成すると、落下位置調整手段により、発射機構部から発射された遊技球の遊技領域への落下開始位置を遊技者の操作により調整することができ、遊技球の落下開始位置が発射機構部の組み付け整合条件等に左右されない。また、この落下位置調整手段により、遊技領域の左右の縁部近傍にも遊技球を落下させて遊技を行うことが可能となるため、遊技領域全体を有効活用可能であり、例えば、遊技領域内に配設される図柄表示装置の大型化（大画面化）等が可能となる。
【００１０】
さらに、発射機構部から遊技球を発射させる操作手段として、操作ハンドルが所定の大きさ以上に操作されたことにより遊技球を発射するように構成するか、若しくは、操作ハンドルにタッチセンサを設けて、操作されていることを検知して発射するように構成することにより、この操作ハンドルにより遊技球の発射と落下位置調整手段の操作を行うことができ、従来からある弾球遊技機の操作ハンドルをそのまま利用することができる。
【発明を実施するための最良の形態】
【００１１】
以下、本発明の好ましい実施形態について図面を参照して説明する。なお、実施例では、前枠の正面奥部に遊技盤が収容保持された形態のパチンコ機に本発明を適用した場合について説明する。
【００１２】
まず、パチンコ機ＰＭの概要構成を図１〜図３の各図を参照して説明する。ここで、図１はパチンコ機ＰＭのガラス扉５および球皿６を開放した場合の正面図、図２は球皿６の正面図および背面図、図３はパチンコ機ＰＭの背面図である。
【００１３】
パチンコ機ＰＭは外郭方形枠サイズに構成されて縦向きの固定保持枠をなす外枠１の開口前面に、これに合わせて方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１４】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４および球皿施錠装置９を利用して前枠２の前面を覆う閉鎖状態に保持される。球皿６の右側下部には遊技球の発射操作を行う操作ハンドル８が取り付けられている。また、前枠２には遊技盤１０が着脱可能に立設保持されている。
【００１５】
遊技盤１０は所定板厚の積層合板を切断およびルータ加工して、表面にセルを貼り付けた化粧板（「ベニヤ」とも称される）１１を基板として構成される。化粧板１１の前面には上レール飾り１２および下レール飾り１３がビス止めされてその内側に略Ｕ字状の遊技領域ＰＡが区画形成され、この遊技領域ＰＡに多数本の遊技釘とともに風車や各種入賞具１４、遊技の進行状況に応じて所定の図柄を表示させる図柄表示装置１５などの遊技構成部品が取り付けられている。また、遊技領域ＰＡの下端部には入賞具１４に入賞せず落下した遊技球を遊技盤１０の裏面側に排出させるアウト口１６が設けられている。
【００１６】
前枠２の下部領域には遊技補助盤と称される補助機構部が形成されており、この遊技補助盤２０の各部に、遊技盤１０に向けて遊技球を打ち出す遊技球発射装置２１、所定容積の収容空間を有して球皿６の充満時に排出しきれない遊技球を一時貯留する貯留ケース２２、貯留ケース２２の出口開口に設けられ球皿６の開閉操作に連動して出口開口を開閉する枠側シャッタ２３、遊技の展開状態に応じて効果音を発生させる音響装置２４等が設けられている。また、遊技補助盤２０の上部には、遊技盤１０のアウト口１６と位置整合してアウト球受容口３７ａが設けられており、アウト口１６から遊技盤１０の裏面側に排出された遊技球（「アウト球」という）を後方のアウト球通路３７に導くようになっている。
【００１７】
また、常には遊技補助盤２０の前面を覆って閉鎖状態に保持される球皿６の背面側には、遊技補助盤２０に設けられた各機器に対応した機構装置が装備されている。すなわち、遊技球発射装置２１に対応してこの遊技球発射装置２１に遊技球を送り出す球送りカセット２５が、貯留ケース２２に対応してこの貯留ケース２２内部の状態をパチンコ機ＰＭの正面側から視認可能な貯留ケース透視窓２６が、枠側シャッタ２３に対応して球皿６の開閉に連動昇降する皿側シャッタ２７が、それぞれの対応位置に設けられている。
【００１８】
前枠２の裏面側には、中央に前後に連通する窓口を有して前枠２よりもやや小型の方形枠状に形成された裏セット盤３０が、この前枠２の裏側に着脱可能にセット保持される。裏セット盤３０の各部には、遊技球を貯留する球貯留タンク３１、球貯留タンク３１から供給された遊技球を流下させる過程で前後２列に整列させるタンクレール３２、所定数量の遊技球を整列状態で待機させる待機通路３３、遊技盤１０における入賞状態等に基づいて遊技球を払い出す球払出装置３４、球払出装置３４から払い出された遊技球を貯留ケース２２に導く球払出通路３５等の賞球装置が装備されている。また、裏セット盤３０には、遊技補助盤２０に設けられたアウト球受容口３７ａから受容したアウト球を裏セット盤３０の下端のアウト球排出口３７ｂに導くアウト球通路３７等が形成されている。
【００１９】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が球送りカセット２５により１球ずつ遊技球発射装置２１に送り出されて発射ホルダ２１ａにセットされ、遊技球発射装置２１のハンマ２１ｃを背面側に配設されたロータリーソレノイド２１ｄにより駆動して遊技球を打ち出し、打ち出された遊技球が発射ガイド２１ｂを通過して遊技盤１０の遊技領域ＰＡに入り、以降パチンコゲームが展開される。
【００２０】
ところで、上述のように遊技領域ＰＡは、化粧盤１１の前面にビス止めされる上レール飾り１２および下レール飾り１３により区画形成されており、これらの上下レール飾り１２，１３は、遊技領域ＰＡを取り囲む内周壁面を略Ｕ字状に成形することにより、遊技球の移動範囲を設定するガイドレール面６１，６２を形成している。さらに、下レール飾り１３には、遊技領域ＰＡ内で入賞具１４に入らずに下部に落下移動してきた遊技球を導入して遊技盤１０の後面側に排出させるアウト口１６が形成されている。
【００２１】
化粧盤１１の上部に取り付けられた上レール飾り１２には、遊技盤１０の正面左下部から左斜め上方に延び、その後滑らかに円弧状に湾曲して遊技盤１０の上部に至る内周壁面６１が形成されており、この内周壁面６１は、遊技球発射装置２１から打ち出された遊技球を滑らかに遊技領域ＰＡに導く「外ガイドレール」若しくは「飛送レール」と称されるガイドレールのレール面の形状に成形されており、このレール面（以下、便宜的に「外レール面」という）６１に沿ってレール面の摩滅を防止する帯板状のレール面保護部材６５が嵌着されている。
【００２２】
一方、化粧盤１１の下部に取り付けられた下レール飾り１３は、外郭方形で内周が上向き凹状の半円形に成形されている。この下レール飾り１３の左側部には、外レール面６１に沿って左上方に延びる上腕部６３の外側壁面を有し、この外側壁面は外レール面６１との間に下部で広く上部で略平行に延びる先細状の発射通路６４を形成している。
【００２３】
このため、遊技球発射装置２１から打ち出された遊技球が発射通路６４に進入し、一定程度上昇したところでレール面保護部材６５に滑らかに接触し、上方で湾曲する外レール面６１に沿って遊技領域ＰＡに向かう。そして、遊技球は、発射通路６４の上端部において、パチンコ機ＰＡの上部に設けられた落下位置調整装置４０に進入する。
【００２４】
それでは、落下位置調整装置４０について説明する。図４はこの落下位置調整装置を示す図であり、（ａ）は平面図であり、（ｂ）は左側面図であり、（ｃ）は正面図であり、（ｄ）は右側面図である。落下位置調整装置４０は、左右方向に延びて水平に並んだ２本のレール部材４１，４１、パチンコ機ＰＭの上部左端であって上腕部６３の上端部（発射通路６４の上端部）においてレール部材４１，４１の左端を固定支持する左端固定部４２、パチンコ機ＰＭの上部右端においてレール部材４１，４１の右端を固定支持する右端固定部４３、レール部材４１，４１上に取り付けられた遊技球受け部材４４、遊技球受け部材４４をレール部材４１，４１に沿って左右に移動させる螺旋棒４５、および、この螺旋棒４５を回転させるモータ４６から構成される。
【００２５】
左端固定部４２は、レール部材４１，４１の幅方向間隔が遊技球ＰＢの直径よりも狭くなるようにこのレール部材４１，４１を上腕部４３の上端部に固定するように構成されており、一方、右端固定部４３は、レール部材４１，４１の幅方向間隔が遊技球ＰＢの直径よりも広くなるようにこのレール部材４１，４１を上レール飾り１２に固定するように構成されている。すなわち、レール部材４１，４１は、遊技領域ＰＡの上部（左端から右端）に張り渡されている。なお、レール部材４１，４１はワイヤー等の可撓性を有する材料で構成されており、後述する遊技球受け部材４４の左右でその幅方向間隔が変わるように構成されている。また、このレール部部材４１，４１は所定の張力を有して張り渡されている。このため、遊技球発射装置２１から発射されて発射通路６４に導かれた遊技球ＰＢは、レール部材４１，４１上に打ち出され、このレール部材４１，４１の間を左端から右方向に向かって転がり移動される。
【００２６】
遊技球受け部材４４は、断面矩形状の受け部本体４４ａの下部に左右に２個を一対として配設された左右ホイール４４ｂ，４４ｃを有して構成されている。一対の左ホイール４４ｂ，４４ｂの内側同士の幅方向間隔Ｌ１は上述の左端固定部４２に保持されたレール部材４１，４１の幅方向間隔と略同一大きさ、つまり、遊技球ＰＢの直径よりも狭い間隔になるように構成されており、一対の右ホイール４４ｃ，４４ｃの外側同士の幅方向間隔Ｌ２は上述の右端固定部４４に保持されたレール部材４１，４１の幅方向間隔と略同一大きさ、つまり、遊技球ＰＢの直径よりも広い間隔になるように構成されている。そのため、レール部材４１，４１を、左ホイール４４ｂ，４４ｂの間を通り、且つ、右ホイール４４ｃ，４４ｃの外側を通るように掛け回すことにより、この遊技球受け部材４４の左右でレール部材４１，４１の幅方向間隔を変えることができる。
【００２７】
この受け部本体４４ａの左側面には、トンネル状に開口した遊技球ガイド部４４ｄが形成されており、この遊技球ガイド部４４ｄの形状は、その左右方向断面において右側に向かって放物線状に下方に向かい、受け部本体４４ａの下面において開口している。また、受け部本体４４ａの右側面の下端部には、下方に延びるフランジ部４４ｆが形成されている。このため、レール部材４１，４１を転がり移動した遊技球ＰＢは、遊技球ガイド部４４ｄに入ってこの遊技球ガイド部４４ｄおよびフランジ部４４ｆによりその移動方向が下方に向けられ、この遊技球ガイド部４４ｄ内で、左右ホイール４４ｂ，４４ｃにより広げられたレール部材４１，４１の間から下方の遊技領域ＰＡ内に落下する。すなわち、この遊技球受け部材４４をレール部材４１，４１に沿って左右に移動させることにより、発射通路６４から打ち出されてレール部材４１，４１上を転がり移動する遊技球ＰＢを遊技球受け部材４４の位置で遊技領域ＰＡに向けて落下開始をさせることができる。
【００２８】
それでは、この遊技球受け部材４４の移動機構について説明する。受け部本体４４ａの上部には左右に貫通して内部にネジ溝を有する雌ネジ部４４ｅが形成されており、この雌ネジ部４４ｅに、外周面に螺旋上のネジ溝（雄ネジ部）が形成されて遊技盤１０の上部に左右に延びる螺旋棒４５が螺挿されてネジ送り機構が構成されている。この螺旋棒４５の左端は、螺旋棒保持部４７により、左右に延びる回転軸に対してこの螺旋棒４５が回転可能に保持され、右端は、モータ４６に連結されている。そのため、このモータ４６により螺旋棒４５を回転させることにより、この螺旋棒４５の一回転に対してネジ溝の１ピッチ分だけ、遊技球受け部材４４を左右方向に移動させることができる。なお、このネジ送り機構において雄ネジと雌ネジの間に鋼球を入れて摩擦を小さくしたボールネジを用いることもできる。
【００２９】
球皿６に配設された操作ハンドル８は、内部に可変抵抗器（ポテンショメータ）が設けられており、回動操作の操作量を検出可能に構成されている。この操作ハンドル８は、常には捻りバネにより基準角度位置に付勢するように構成され、遊技者が回動操作をすると回動し、遊技者が操作ハンドル８から手を離すと基準角度位置に戻るように構成されている。
【００３０】
そして、落下位置調整装置４０のモータ４６はステッピングモータ等で構成されており、操作ハンドル８の操作量に応じて螺旋棒４５を回転させて、遊技球受け部材４４を左右に移動させて遊技球ＰＢの落下位置を調整可能に構成されている。具体的には操作ハンドル８が回動操作されていないときは、遊技球受け部材４４はレール部材４１，４１の最も左端側に位置して、発射された遊技球がレール部材４１，４１の最も左側で遊技領域ＰＡ内に落下するように構成され、操作ハンドル８が右方向（時計回り）に回動操作されるとそれに応じて遊技球受け部材４４が右方向に移動して遊技球ＰＢを遊技領域ＰＡ内に落下させる位置を右方向に変えるように構成されている。
【００３１】
あるいは、操作ハンドル８が回動操作されていないときは、遊技球受け部材４４はレール部材４１，４１の略中央部に位置して、発射された遊技球ＰＢがレール部材４１，４１の略中央部で遊技領域ＰＡ内に落下するように構成され、操作ハンドル８が左右いずれかの方向に回動操作されるとそれに応じて遊技球受け部材４４を左右方向に移動させて遊技球ＰＢを遊技領域ＰＡ内に落下させる位置を左右方向に変えるように構成することもできる。このような構成により、操作ハンドル８の基準位置から左右方向に移動する距離が短くなるため、遊技者の所望の位置に素早く遊技球受け部材４４を移動させることができ、応答性が向上する。
【００３２】
本実施例では、遊技球受け部材４４の位置、すなわち、操作ハンドル８の操作量に応じて、遊技球発射装置２１から発射される遊技球ＰＢの発射強度を相対的に変化させるように構成されている。このように構成することにより、遊技球ＰＢがレール部材４１，４１上を転がり移動して遊技球受け部材４４に到達したときの速度を調整して、この遊技球受け部材４４の遊技球ＰＢとの接触による摩耗等を防止することができる。
【００３３】
このように、操作ハンドル８の回動操作に応じて遊技球受け部材４４の位置を左右方向に移動させることにより、遊技盤１０の上部から遊技領域ＰＡに落下する遊技球の落下開始位置を遊技者が決定することができる。また、このように遊技球の落下開始位置を調整可能とすることにより、遊技領域ＰＡの左右端近傍領域にも遊技球を落下させることができるため、遊技領域ＰＡ全体を広く利用することができ、例えば、図柄表示装置１５の大型化（大画面化）が可能となる。
【００３４】
なお、遊技球発射装置２１は、操作ハンドル８が所定の大きさ以上回動操作されたときに所定の間隔で発射されるように構成される。若しくは、操作ハンドル８のグリップ部（遊技者により握られる部分）８ａにタッチセンサを設け、このタッチセンサが握られたときに遊技球発射装置２１から遊技球が発射されるように構成することも可能である。このように、操作ハンドル８の操作量か若しくはタッチセンサにより遊技球を発射するように構成することにより、従来からあるパチンコ機等の弾球遊技機の操作ハンドルをそのまま利用することができる。
【００３５】
また、以上の実施例においては、パチンコ機ＰＡの下部に配設された遊技球発射装置２１から上方に向かって打ち出して上部の遊技球落下装置４０に遊技球を発射した場合について説明したが、本発明がこの構成に限定されることはなく、例えば、上下に延びた回転軸に沿って螺旋状に形成された溝を有する螺旋送出機構により、下方に位置する遊技球をこの螺旋状の溝に沿って上方に運んで上部から遊技球落下装置４０に送り出すように構成することも可能である。あるいは、上下に延びた一対のベルトコンベヤを設け、この一対のベルトコンベアの間に遊技球を挿入して上方に送出するように構成することも可能である。
【００３６】
以上説明した本発明の実施形態において、達成される主要な効果を整理すれば下記のようになる。
【００３７】
第１に、落下位置調整装置４０により、遊技球発射装置２１から発射された遊技球の遊技領域ＰＡへの落下開始位置を遊技者の操作により調整することができ、遊技球の落下開始位置が遊技球発射装置２１等の組み付け整合条件等に左右されない。
【００３８】
第２に、この落下位置調整装置４０により、遊技領域ＰＡの左右の縁部近傍にも遊技球を落下させて遊技を行うことが可能となるため、遊技領域ＰＡ全体を有効活用可能であり、例えば、図柄表示装置１５の大型化（大画面化）が可能となる。
【００３９】
第３に、遊技球発射装置２１から遊技球を発射させる操作手段として、操作ハンドル８が所定の大きさ以上操作されたことにより遊技球を発射するように構成するか、若しくは、操作ハンドル８にタッチセンサを設けて、操作されていることを検知して発射するように構成することにより、この操作ハンドル８により遊技球の発射と落下位置調整装置４０の操作を行うことができ、従来からある弾球遊技機の操作ハンドルをそのまま利用することができる。
【図面の簡単な説明】
【００４０】
【図１】本発明に係るパチンコ機のガラス扉および球皿を開放した場合の正面図である。
【図２】本発明に係るパチンコ機の球皿を示す図面であり、（ａ）は正面図であり、（ｂ）は背面図である。
【図３】本発明に係るパチンコ機の背面図である。
【図４】本発明に係る落下位置調整装置を示す図であり、（ａ）は平面図であり、（ｂ）は左側面図であり、（ｃ）は正面図であり、（ｄ）は右側面図である。
【符号の説明】
【００４１】
ＰＭ  パチンコ機（弾球遊技機）
ＰＡ  遊技領域
８  操作ハンドル
８ａ  グリップ部（タッチ部）
１０  遊技盤
２１  遊技球発射装置（発射機構部）
４０  落下位置調整装置（落下位置調整手段）
４１  レール部材
４４  遊技球受け部材
４５  螺旋棒（移動機構部）
４６  モータ（移動機構部）
６４  発射通路
【図１】
2006055277.tif 000003
【図２】
2006055277.tif 000004
【図３】
2006055277.tif 000005
【図４】
2006055277.tif 000006